(57)【要約】【課題】精密ワークの打撃に使用可能であり、衝撃力を発生することができるハンマーを提供する。【解決手段】本考案は、ハンドル１０と、ヘッド部２０と、衝撃機構３０と、を含み、前記ハンドル１０の一端が前記ヘッド部２０と連接し、前記ヘッド部が二つのハンマー面４１、４２を有し、前記二つのハンマー面の間には、衝撃機構３０を収容する収容空間が設けられるハンマーにおいて、前記衝撃機構３０は、前記収容空間内に移動自在であり衝撃を発生可能な衝撃ブロック３３を有する。【選択図】図２
0003153249.tif 000002
【実用新案登録請求の範囲】
【請求項１】
ハンドルと、ヘッド部と、衝撃機構と、を含み、前記ハンドルの一端が前記ヘッド部と連接し、前記ヘッド部が二つのハンマー面を有し、前記二つのハンマー面の間には、衝撃機構を収容する収容空間が設けられるハンマーにおいて、
前記衝撃機構は、前記収容空間内に移動自在であり衝撃を発生可能な衝撃ブロックを有することを特徴とする、ハンマー。
【請求項２】
前記ハンドルと前記ヘッド部は、樹脂材料で一体に射出成形されたものであることを特徴とする、請求項１に記載のハンマー。
【請求項３】
前記ハンドルには、貫通孔が複数設けられることを特徴とする、請求項２に記載のハンマー。
【請求項４】
前記ヘッド部の前記二つのハンマー面の間に設けられる収容空間は、一端が開放端に形成され、他端が閉鎖端に形成されることを特徴とする、請求項３に記載のハンマー。
【請求項５】
前記収容空間の前記閉鎖端には、枢着穴が設けられることを特徴とする、請求項４に記載のハンマー。
【請求項６】
前記ヘッド部の前記二つのハンマー面は、少なくとも一つが脱着可能であることを特徴とする、請求項５に記載のハンマー。
【請求項７】
前記ヘッド部の前記二つのンマー面は、全て脱着可能であり、そのうちの一つが金属で作製され、残る一つが回復可能な材質で作製され、金属で作製されたハンマー面が前記開放端に設けられ、回復可能な材質で作製されたハンマー面が前記閉鎖端に設けられることを特徴とする、請求項５に記載のハンマー。
【請求項８】
前記ヘッド部の収容空間には、衝撃機構が設けられ、
前記衝撃機構は、押付片と、前記押付片に設けられた貫通孔に貫入して前記閉鎖端に設けられた貫通孔に貫入するネジと、前記開放端から入れられ、その中心に貫通孔が設けられる前記衝撃ブロックとを有し、前記衝撃ブロックは、前記ネジに挿通されて前記ネジに対して移動自在であることを特徴とする、請求項６又は７に記載のハンマー。
【考案の詳細な説明】
【技術分野】
【０００１】
本考案は、打撃工具に係り、特に、精密ワークの打撃に使用可能であり、衝撃力を発生可能なハンマーに関するものである。
【背景技術】
【０００２】
ハンマーは、広汎に利用される打撃工具であり、打撃対象物によって、相違する材質で作製されたハンマーが利用され、例えば打撃対象物が釘などである場合には、鉄製ハンマーが利用され、打撃対象物を打撃によって成形したい場合には、木質ハンマー又はゴム製ハンマーが利用され、なお、より精密で微細な打撃対象物を打撃したい場合には、ハンドルが樹脂で作製され、ヘッド部のハンマー面が金属またはゴムで作製されたハンマーが利用される。
【０００３】
しかし、打撃機能を向上し被害を回避するために、多くの打撃工具のハンドルには、振動低減および滑り止の機構が設けられる。例えば台湾特許第ＴＷ４２４６５４号の記載に開示した打撃工具は、ハンドル部とヘッド部（又は打撃部とも称する）の連接箇所では、ハンドル部の内部には収容空間が設けられ、前記収容空間には、振動を低減するための若干の玉が設けられ、打撃工具が打撃対象物を打撃する直前に、前記玉が前記収容空間の上端に移動し、且つ打撃工具が打撃対象物を打撃しているときに、前記玉が前記収容空間の上端に位置し、これらの玉により、反力のユーザの腕に対する衝撃を分散する効果を有する。これにより、打撃力を上げないと、打撃対象物に加える衝撃が不足であることがあった。しかし、より小さいハンマーの質量は少ないので、打撃対象物により大きい打撃力を加えないと、打撃効果が良くない。そして台湾特許第ＴＷ１３６４６１号の記載に開示した打撃工具は、衝撃スリーブを一定方向に移動自在な衝撃具により打撃効果を向上することができるが、その構成が複雑であり、損壊し易い欠点があった。
【先行技術文献】
【特許文献】
【０００４】
【特許文献１】台湾特許第ＴＷ４２４６５４号公報
【特許文献２】台湾特許第ＴＷ１３６４６１号公報
【考案の概要】
【考案が解決しようとする課題】
【０００５】
本考案の主な目的は、精密ワークの打撃に使用可能であり、衝撃力を発生可能なハンマーを提供することにある。
【課題を解決するための手段】
【０００６】
本考案の請求項１に記載のハンマーによると、ハンドルと、ヘッド部と、衝撃機構と、を含み、ハンドルの一端が前記ヘッド部と連接し、ヘッド部が二つのハンマー面を有し、二つのハンマー面の間には、衝撃機構を収容する収容空間が設けられるハンマーにおいて、衝撃機構は、収容空間内に移動自在であり衝撃を発生可能な衝撃ブロックを有することを特徴とするハンマーである。
【０００７】
本考案の請求項２に記載のハンマーによると、ハンドルとヘッド部は、樹脂材料で一体に射出成形されたものである。
【０００８】
本考案の請求項３に記載のハンマーによると、ハンドルには、貫通孔が複数設けられる。
【０００９】
本考案の請求項４に記載のハンマーによると、ヘッド部の二つのハンマー面の間に設けられる収容空間は、一端が開放端に形成され、他端が閉鎖端に形成される。
【００１０】
本考案の請求項５に記載のハンマーによると、収容空間の閉鎖端には、枢着穴が設けられる。
【００１１】
本考案の請求項６に記載のハンマーによると、ヘッド部の二つのハンマー面は、少なくとも一つが脱着可能である。
【００１２】
本考案の請求項７に記載のハンマーによると、ヘッド部の二つのハンマー面は、全て脱着可能であり、そのうちの一つが金属で作製され、残る一つが回復可能な材質で作製され、金属で作製されたハンマー面が開放端に設けられ、回復可能な材質で作製されたハンマー面が閉鎖端に設けられる。
【００１３】
本考案の請求項８に記載のハンマーによると、ヘッド部の収容空間には、衝撃機構が設けられ、衝撃機構は、押付片と前記押付片に設けられた貫通孔に貫入して閉鎖端に設けられた貫通孔に貫入するネジを有し、開放端から入れられその中心に貫通孔が設けられる衝撃ブロックは、ネジに挿通されてネジに対して移動自在である。
【考案の効果】
【００１４】
本考案のハンマーによれば、精密ワークの打撃に使用可能であり、衝撃力を発生することができるという効果を有する。
【図面の簡単な説明】
【００１５】
【図１】本考案の斜視図である。
【図２】本考案の第１実施形態の分解斜視図である。
【図３】本考案の第１実施形態の使用状態を示す模式図である。
【図４】本考案の第２実施形態の断面図である。
【考案を実施するための形態】
【００１６】
以下、本考案の実施の形態を図面に基づいて説明する。
【００１７】
まず、図１を参照する。本考案のハンマーは、ハンドル１０と、ヘッド部２０と、を含み、ヘッド部２０内には、収容空間が設けられ、収容空間には、衝撃機構３０が設けられ、衝撃機構３０により、ヘッド部２０が打撃対象物を打撃しているときに、打撃方向への衝撃力が発生され、打撃効果を向上することができる。衝撃機構３０の構成は、後で詳細に説明する。
【００１８】
図２を参照する。ハンドル１０とヘッド部２０は、樹脂材料で一体に射出成形されたものであり、ハンドル１０には、吊り穴１１が複数設けられ、吊り穴１１により、本考案のハンマーを壁などに掛けることができる。本実施形態では、ヘッド部２０は、円柱形状を呈し、その内部にある収容空間も円柱形状を呈し、しかし、本考案のヘッド部２０の形状は、円柱形状に限定されなく、これ以外の何れかの形状を呈してもよい。ヘッド部２０の二つのハンマー面の間に設けられる収容空間は、一端が開放端２１に形成され、他端が閉鎖端２２に形成され、閉鎖端２２の中心には、枢着穴２２１が設けられる。ヘッド部の二つのハンマー面は、両者を脱着可能にしてもいいし、一つだけを脱着可能にしてもよく、そうすると、衝撃機構３０の交換が可能になる。ヘッド部の二つのハンマー面は、そのうちの一つが金属で作製され（金属ハンマー面４１）、残る一つが回復可能な材質で作製され（回復可能ハンマー面４２）、金属ハンマー面４１の内面の中心には、ねじ穴４１２が設けられ、なお、本実施形態では、回復可能ハンマー面４２がゴムで作製される。
【００１９】
ヘッド部２０の開放端２１と閉鎖端２２との外縁には収容空間２３がそれぞれ設けられ、各収容空間２３には、金属ハンマー面４１と回復可能ハンマー面４２をそれぞれ入れることができる。本実施形態では、衝撃機構３０を組付けるために、金属ハンマー面４１が開放端２１に設けられ、回復可能ハンマー面４２が閉鎖端２２に設けられる。金属ハンマー面４１の内面には、円柱形状を呈する第１凸部４１１が設けられ、第１凸部４１１の周囲には溝が環設され、第１凸部４１１が開放端２１の収容空間２３に入れ可能であり、開放端２１の外縁が前記溝と係合可能であり、なお、回復可能ハンマー面４２は、円形を呈するプレートであり、その中心には円形な突起が形成され、その内面には第２凸部４２１が設けられ、第２凸部４２１内には円柱空間が形成され、第２凸部４２１を閉鎖端２２の収容空間２３に入れて係合可能である。
【００２０】
本考案のハンマーのヘッド部２０の収容空間には、衝撃機構３０が設けられる。衝撃機構３０は二つの実施形態を有する。
【００２１】
図２を参照する。本考案の衝撃機構３０の一実施形態は、図２に示すように、ネジ３１と、押付片３２と、衝撃ブロック３３とから構成され、ネジ３１が押付片３２に設けられた貫通孔を貫入して閉鎖端２２に設けられた貫通孔を貫入することにより、押付片３２がネジ３１のヘッドと閉鎖端２２の間に位置され、ネジ３１が前記収容空間に収容される。このとき、前記収容空間の開放端２１から衝撃ブロック３３を入れる。衝撃ブロック３３は、円柱形状を呈し、金属で一体成形されたものであることが好ましい。衝撃機構３０により、ヘッド部２０が打撃対象物を打撃しているときに、打撃方向への衝撃力が発生され、打撃効果を向上することができる。円柱形状を呈する衝撃ブロック３３の中心には、貫通孔が設けられ、衝撃ブロック３３は、ネジ３１に挿通されてネジ３１に対して移動自在である。衝撃ブロック３３を挿通するネジ３１が金属ハンマー面４１の第１凸部４１１に設けられたネジ穴４１２に螺着するように、開放端２１に金属ハンマー面４１を係合し、そして閉鎖端２２に設けられた収容空間２３に回復可能ハンマー面４２に入れて係合し、回復可能ハンマー面４２の第２凸部４２１内に形成される空間がネジ３１のヘッドを収容する。ハンマーが打撃対象物を打撃しているときには、図３に示すように、衝撃ブロック３３により打撃方向への衝撃力が発生され、打撃効果を向上することができる。
【００２２】
図４を参照する。本考案の衝撃機構３０の別の実施形態は、図４に示すように、金属で一体成形された衝撃ブロック３３をヘッド部２０の収容空間の開放端２１から入れて、第１凸部４１１の溝が開放端２１の外縁と係合するように、開放端２１の収容空間２３に金属ハンマー面４１の第１凸部４１１を入れ、そうすると、金属製の衝撃ブロック３３が収容空間を摺動自在である。そして閉鎖端２２に設けられた収容空間２３に、回復可能ハンマー面４２の第２凸部４２１を入れる。これにより、衝撃ブロック３３、金属ハンマー面４１と閉鎖端２２には、貫通孔またはネジ穴４１２を設ける必要がなくなり、簡単な係合方式により、上記の実施形態と同じ効果を達成することができる。
【００２３】
上記では、種々の実施の形態を説明したが、本考案はこれらの内容に限定されるものではない。本考案の技術的思想の範囲内で考えられるその他の態様も本考案の範囲内に含まれる。
【産業上の利用可能性】
【００２４】
本考案は、ハンマーに適用することができる。
【符号の説明】
【００２５】
１０      ハンドル
１１      吊り穴
２０      ヘッド部
２１      開放端
２２      閉鎖端
２３      収容空間
３０      衝撃機構
３１      ネジ
３２      押付片
３３      衝撃ブロック
４１      金属ハンマー面
４２      回復可能ハンマー面
２２１    枢着穴
４１１    第１凸部
４１２    ネジ穴
４２１    第２凸部
【図１】
0003153249.tif 000003
【図２】
0003153249.tif 000004
【図３】
0003153249.tif 000005
【図４】
0003153249.tif 000006